(57)【特許請求の範囲】
【請求項１】
端末から物品個別に付与されたＩＤを入力し、サーバ装置にその物品ＩＤを登録するように構成された物品ＩＤ登録システムにおいて、
前記サーバ装置は、
前記端末から前記物品ＩＤを入力してから待ち時間経過したか否かを判定する時間判定部と、
前記物品ＩＤは、各桁がそれぞれ記号または数字よりなる複数の桁より構成され、前記複数の桁のうち一部の桁を結合させることによりチェックコードを構成し、前記チェックコードを構成する各桁部分は前記物品ＩＤの中のチェックコードを構成しない他の桁の間にそれぞれ離れて配置されており、該チェックコードが正しいか否かを判定するＩＤ判定部と、
前記ＩＤ判定部で正しくないと判定された場合、間違い入力回数を計数する計数部と、
前記計数部で計数した間違い入力回数より待ち時間を算出する演算部と、
前記演算部で演算した待ち時間を保持する記憶部と、
前記ＩＤ判定部で正しいと判定された場合、前記ＩＤ判定部で正しいと判定された物品ＩＤが既に登録されている物品ＩＤ中以外の物品ＩＤである場合に、未使用と判定する未使用ＩＤ判定部と、
前記未使用ＩＤ判定部で未使用と判定された場合、前記計数部の間違い入力回数を０にリセットし、前記記憶部の待ち時間を０にするリセット部とを備え、
前記端末から入力される物品ＩＤの間違い回数によってつぎに物品ＩＤ入力がされ受け付けられるまでの待ち時間を増加させ、前回までにセットされた待ち時間経過後に前記端末から入力された物品ＩＤが正しい場合、正しい物品ＩＤを受け付けるとともに間違い入力回数を０にリセットし、つぎに物品ＩＤが入力された場合の待ち時間を０にすることを特徴とする不正入力防止システム。
【請求項２】
前記間違い入力回数ｍの増加にしたがって待ち時間をｎm で指数的に増加させることを特徴とする請求項１記載の不正入力防止システム。
【請求項３】
ユーザの情報を入力して登録するユーザ情報登録手段を有し、該ユーザ情報登録手段によりユーザ登録した場合、前記リセット部により間違い入力回数を０にリセットし登録したユーザ対応に前記記憶部の待ち時間を０にすることを特徴とする請求項１または２記載の不正入力防止システム。
【請求項４】
前記端末は携帯電話機またはパソコンであり、
前記携帯電話機は公衆網を介してインターネットに接続され、前記パソコンはプロバイタ回線を介してインターネットに接続され、
前記携帯電話機およびパソコンは前記インターネットを介して前記サーバ装置に接続されることを特徴とする請求項１，２または３記載の不正入力防止システム。
【発明の詳細な説明】
【技術分野】
【０００１】
本発明は、不正入力防止システム、さらに詳しくいえば、商品などに個別に付与されている範囲のＩＤ以外の入力を防止する回路を備えたシステムに関する。
【背景技術】
【０００２】
購入した商品個別に付されているＩＤをインターネットでキャンペーンサイトに登録し、そのＩＤの登録によってユーザに種々のサービスを提供するシステムが広く実施されている。このような商品ＩＤは、それが正当なものかチェックするためコードが付されており、通常はそのコードによって不正入力であるか否かを判断している。ただし、手入力が前提であるため、チェックコードを長くすることは好ましくなく４〜５桁程度付加するのが一般的である。仮にチェックコードが４桁であったとすると、不正入力を受け入れてしまう確率は１万分の１であるが、携帯電話での手入力では不正入力は非常に困難である。
【０００３】
しかしながら、パソコンでも応募が可能な場合には、悪意あるユーザが自動的にＩＤを作成するプログラムを組むことにより、短時間で大量の試行が可能になる。かかる場合には確率が１万分の１程度では簡単に破られてしまう。とはいえ、手入力を行う正当な利用者の負担を考慮すると上述したようにチェックコードを長くすることはできない。
【０００４】
特許文献１は従来の応募処理システムの構成を示すものである。
利用者が携帯電話やノートパソコンなどで応募ナンバーを入力すると、その情報はインターネットを介してサーバ装置に送られ、サーバ装置では複数の商品に個別に割り当たられた複数の応募ナンバー中に利用者が入力した応募ナンバーが存在する場合には、その利用者に対する獲得ポイント数を増加するように構成されたものである。
【特許文献１】特開２００２−２３０３８９号公報
【発明の開示】
【発明が解決しようとする課題】
【０００５】
この例は予め割り当てられている応募ナンバーであるか否かをチェックするが、上述したようにパソコンで応募可能の場合にはユーザがプログラムを組むことにより短時間に応募ナンバーの大量の試行が可能になり、チェックコードが短いと簡単にチエックシステムを破られてしまう可能性がある。
【０００６】
そこで、チェックコードは短くして所定の回数の試行で入力を受け付けなくする方法が考えられるが、利用者から管理者に入力ロックの解除を依頼しなければならず、面倒である。また、絵に描いた文字を入力させる方法も一案であるが、これも入力に時間がかかるものである。なお、キャンペーンサイトの性質上、目に見えてユーザを疑うようなシステムは好ましくない。
【０００７】
本発明の目的は、エラー入力したとしても正規ユーザの場合、早く回復ができる自動解除を行い、悪質になればなるほど解除されにくくなり、加えて外見上特に不正対策を施しているようには見えない、ユーザ側の入力も手間がかからず安心して利用できる不正入力防止システムを提供することにある。
【課題を解決するための手段】
【０００８】
前記目的を達成するために本発明の請求項１は、端末から物品個別に付与されたＩＤを入力し、サーバ装置にその物品ＩＤを登録するように構成された物品ＩＤ登録システムにおいて、前記サーバ装置は、前記端末から前記物品ＩＤを入力してから待ち時間経過したか否かを判定する時間判定部と、前記物品ＩＤは、各桁がそれぞれ記号または数字よりなる複数の桁より構成され、前記複数の桁のうち一部の桁を結合させることによりチェックコードを構成し、前記チェックコードを構成する各桁部分は前記物品ＩＤの中のチェックコードを構成しない他の桁の間にそれぞれ離れて配置されており、該チェックコードが正しいか否かを判定するＩＤ判定部と、前記ＩＤ判定部で正しくないと判定された場合、間違い入力回数を計数する計数部と、前記計数部で計数した間違い入力回数より待ち時間を算出する演算部と、前記演算部で演算した待ち時間を保持する記憶部と、前記ＩＤ判定部で正しいと判定された場合、前記ＩＤ判定部で正しいと判定された物品ＩＤが既に登録されている物品ＩＤ中以外の物品ＩＤである場合に、未使用と判定する未使用ＩＤ判定部と、前記未使用ＩＤ判定部で未使用と判定された場合、前記計数部の間違い入力回数を０にリセットし、前記記憶部の待ち時間を０にするリセット部とを備え、前記端末から入力される物品ＩＤの間違い回数によってつぎに物品ＩＤ入力がされ受け付けられるまでの待ち時間を増加させ、前回までにセットされた待ち時間経過後に前記端末から入力された物品ＩＤが正しい場合、正しい物品ＩＤを受け付けるとともに間違い入力回数を０にリセットし、つぎに物品ＩＤが入力された場合の待ち時間を０にすることを特徴とする。
本発明の請求項２は請求項１記載の発明において前記間違い入力回数ｍの増加にしたがって待ち時間をｎm で指数的に増加させることを特徴とする。
本発明の請求項３は請求項１または２記載の発明においてユーザの情報を入力して登録するユーザ情報登録手段を有し、該ユーザ情報登録手段によりユーザ登録した場合、前記リセット部により間違い入力回数を０にリセットし登録したユーザ対応に前記記憶部の待ち時間を０にすることを特徴とする。
本発明の請求項４は請求項１，２または３記載の発明において前記端末は携帯電話機またはパソコンであり、前記携帯電話機は公衆網を介してインターネットに接続され、前記パソコンはプロバイタ回線を介してインターネットに接続され、前記携帯電話機およびパソコンは前記インターネットを介して前記サーバ装置に接続されることを特徴とする。
【発明の効果】
【０００９】
上記構成によれば、仮に間違えて物品ＩＤを入力した場合でも正規ユーザ（物品を購入して登録したユーザ）の場合には、自動的に待ち時間が解除されるため再入力の回復が早く、悪質になればなるほど（入力回数が多くなる）解除されにくくなり、加えて外見上、特に不正対策を施しているように見えないため、ユーザの側も手間がかからず安心して利用することができる。
本発明はチェックコードの冗長性が少ないにもかかわらず破られにくく、正規ユーザが少々入力を間違えた程度では直ぐに再入力が可能となり、不正対策に関わる余計な手間がかかることのないシステムを実現できる。
【発明を実施するための最良の形態】
【００１０】
以下、図面等を参照して本発明の実施の形態を詳しく説明する。
図１は、本発明による不正入力防止システムを備えた商品ＩＤ登録システムの概要を示すブロック図である。
物品はユーザが購入した商品であり、購入した商品に個別にシリアルナンバーなどのＩＤが付されている。ユーザが例えば、購入した商品のウエブサイト（サーバ装置）にアクセスし、ユーザ登録を行い、さらにその購入した商品の個別のＩＤを登録する。
このように商品ＩＤを登録すれば、例えば、或る商品を抽選できるくじ引きを行うことができたり、その商品対応のポイントを溜めたりすることができるものである。所定以上のポイントが溜まれば、希望する商品の交換や特定のイベントなどの招待を受けることができる。
【００１１】
物品ＩＤである商品ＩＤおよびユーザ登録は端末である携帯電話機１またはパソコン６により登録可能である。
商品を手にいれた購入者であるユーザは携帯電話機１またはパソコン６を用いてサーバ装置８にユーザ登録を行った後に、そのユーザ登録者により商品ＩＤをサーバ装置８に登録する。携帯電話機１の場合、ユーザＩＤ，商品ＩＤは基地局２を介して移動通信交換機３に送信される。移動通信交換機３ではデータの交換動作がなされ公衆網４，インターネット５を介して商品登録を行う目的のサーバ装置８に送られる。
パソコン６の場合はプロバイダ回線７を介してインターネット５に接続され、目的のサーバ装置８に接続され、ユーザＩＤ，商品ＩＤを送ることができる。サーバ装置８ではユーザＩＤが登録され商品ＩＤも不正入力をチェックし、正しければ、登録される。ユーザＩＤ登録と商品ＩＤの登録は異なる端末で行うことも可能である。
【００１２】
図２は、不正入力防止システムの構成を示すブロック図である。
ＩＤ入力部１０は端末側の入力部分であり、携帯電話機１やパソコン６のテンキーなどの操作部である。時間判定部１１，商品ＩＤ判定部１２，未使用商品ＩＤ判定部１３，間違い入力回数リセット部１４，ＩＤ登録部１５，商品ＩＤエラー入力回数計数部１６，待ち時間演算部１７および待ち時間更新部１８はサーバ装置８が有する回路部である。
時間判定部１１は携帯電話機１やパソコン６からの商品ＩＤが入力されてから記憶部１９に保存されている待ち時間が経過したか否かを判定するものである。当初は記憶部１９に保存されている待ち時間は０であり、商品ＩＤ入力によって速やかに後段の商品ＩＤの判定に移行する。
商品ＩＤ判定部１２は、入力された商品ＩＤが商品ＩＤに含まれているチェックコードをチェックし、正しいか否かを判定するものである。
【００１３】
未使用商品ＩＤ判定部１３は商品ＩＤ判定部１２で正しいと判定された場合、登録商品ＩＤに同じ商品ＩＤが既に存在しているときは使用商品ＩＤと判定し、存在していないときは、未使用商品ＩＤであると判定するものである。
間違い入力回数リセット部１４は、未使用商品ＩＤ判定部１３が未使用と判定した場合、後述の商品ＩＤエラー入力回数計数部１６の間違い入力回数を０にリセットし、記憶部１９の待ち時間を０にする。
商品ＩＤエラー入力回数計数部１６は商品ＩＤ判定部１２で正しくないと判定された場合、間違い入力回数を計数するものである。待ち時間演算部１７は商品ＩＤエラー入力回数計数部１６で計数した間違い入力回数より所定の演算式で待ち時間を算出するものである。待ち時間は例えばｔd ＝２m ・・・（１）の演算式を用いており、間違い入力回数ｍが増加すると指数関数的に待ち時間が増加する。待ち時間更新部１８は記憶部１９の記憶内容を待ち時間演算部１７で算出された待ち時間で更新するものである。
【００１４】
図７に累乗の基数を２にした場合の実際の待ち時間の増加の程度を示す。
１回目の商品ＩＤ入力ではｔd ＝０であるが、その後間違い入力を１回目，２回目，３回目と行うと、待ち時間は倍々に増加し、４回目で８Ｓ（秒）となる。この例では１０回ＩＤ入力を間違えると１５分程度待ちとなる。しかしながら、その後は急激に待ち時間が増加するため、パソコンで不正入力ＩＤを多数作るプログラムを用いて入力を試行しても、待ち時間が極端に長くなるので、本発明のシステムの商品ＩＤを破ることは不可能である。
【００１５】
図３は、携帯電話機の回路の詳細を示すブロック図である。
携帯電話機はメモリ部２１，キー入力部２２，通信部２３，画像処理部２４，液晶表示部２５，制御部２６および電話機機能部２７を有している。
制御部２６はＣＰＵがＲＯＭに格納された電話機能処理プログラム，データ通信処理プログラム，インターネットアクセス処理プログラムなどによって実現される機能部である。電話機能処理プログラムによって電話機能が、データ通信処理プログラムによってデータ送受信の処理が，インターネットアクセス処理プログラムによりウエブサイトに対するアクセス登録処理が，画像表示処理プログラムにより画像表示などが行われる。インターネットアクセス登録処理によりユーザＩＤ登録アクセス部２６ａおよび商品ＩＤ登録アクセス部２６ｂが立ち上がる。
【００１６】
ユーザがキー入力部２２によりユーザ登録のため所定の操作をすると、アクセスすべきＵＲＬを入力するための画面が液晶表示部２５に表示される。ユーザがＵＲＬを入力すると、ユーザ登録画面が表示されるので、ユーザはユーザＩＤ登録のための自らの詳細情報を入力する。ユーザＩＤ登録アクセス部２６ａは入力されたユーザＩＤ登録のためのユーザの詳細情報を通信部２３を介して基地局に送信する。サーバ装置８では送信された詳細情報に対しユーザＩＤが与えられ、そのユーザＩＤとユーザ登録済の情報が送られると、液晶表示部２５にその情報が表示され、ユーザＩＤ登録アクセス部２６ａはユーザ登録アクセス処理を完了する。このとき、ユーザはユーザＩＤ登録に伴いパスワードの設定も行うこととなる。
また、入力部２２によりユーザが購入した商品のＩＤを入力するため所定の操作をすると、液晶表示部２５にはユーザ登録ＩＤおよび商品ＩＤを入力するための画面が表示される。商品ＩＤ登録アクセス部２６ｂはユーザがユーザＩＤ，パスワードを入力し、さらに商品ＩＤを入力すると、これら情報を基地局に送信する。サーバ装置８で入力された商品ＩＤが不正入力でなく、未使用ＩＤと判断され登録されると、その旨の情報が返送され液晶表示部２５に表示される。これにより商品ＩＤ登録アクセス部２６ｂは商品ＩＤ登録アクセス処理を完了する。
【００１７】
図４は、サーバ装置の詳細を示すブロック図である。
サーバ装置８はインターネット５との通信部３８，サーバ装置制御のための制御プログラム，登録処理プログラム，制御プログラムを実行するためのデータなどを格納するＲＯＭ３９，ＣＰＵ４２の演算やデータを一時格納するためのＲＡＭ４０，ＣＰＵ４２およびデータベース４１を備えている。
ＣＰＵ４２はＲＯＭ３９から読み出す制御プログラムによりサーバ装置全体の制御を司る他、登録処理プログラムの実行により登録制御部３７，時間判定部３１，商品ＩＤ判定部３２，未使用商品ＩＤ判定部３３，演算部３６および更新登録部３５の各機能を実現する。
登録制御部３７は携帯電話機などからユーザＩＤ登録，商品ＩＤ登録のアクセスがあった場合に、サーバ装置において登録のため制御するため制御部であり、ユーザＩＤ，商品ＩＤの受け渡しやそのタイミング調整，入力回数リセットなどの制御を行う。
【００１８】
時間判定部３１，商品ＩＤ判定部３２および未使用ＩＤ判定部３３は図２の時間判定部１１，商品ＩＤ判定部１２および未使用商品ＩＤ判定部１３のそれぞれの機能に相当する部分である。演算部３６は図２の商品ＩＤエラー入力回数計数部１６および待ち時間演算部１７の機能を含むものである。更新登録部３５は図２のＩＤ登録部１５，待ち時間更新部１８の機能を含むものである。
データベース４１は待ち時間格納領域４１ａ，ユーザ登録格納領域４１ｂおよび商品ＩＤ（シリアル番号）格納領域４１ｃを備えている。待ち時間格納領域４１ａは図２の記憶部１９に対応する部分で、計算された待ち時間を記憶する部分である。最初は０であるが、間違いを行う回数毎に増加した待ち時間が更新される。各登録ユーザ毎に設定される待ち時間である。ユーザ登録格納領域４１ｂは携帯電話機などから登録されたユーザＩＤを格納する部分で、多数のユーザのユーザＩＤを記憶する。
【００１９】
商品ＩＤ格納領域４１ｃは商品ＩＤが正しく，かつ未使用である場合、その商品ＩＤが登録されるデータ格納領域である。
商品ＩＤのデータ構造は例えば図８に示すような方法で決められている。商品ＩＤの全桁を１５桁とし、１桁目，４桁目，７桁目，１０桁目，１３桁目の５桁部分をチェックコードに用い、他の桁部分を数字，記号を用いている。図８の例では「Ｂ９ｃｆ０ｒｒ８Ｑ４５３１３７」の商品ＩＤであり、その内のチェックコードは「９０８５３」である。チェックコード５桁部分をチェックして正しければ、正しい商品ＩＤであると判断されて商品ＩＤ格納領域４１ｃに格納される。
【００２０】
図５は、商品を買ったユーザの登録の流れを示すフローチャートである。
携帯電話機を用いて登録する場合を説明する。なお、パソコンや他の携帯端末を用いても同様なステップで登録することが可能である。
ユーザが携帯電話機２８のキー入力部２２の特定のキーを操作することによりＵＲＬ入力を指定するための画面が表示され、ユーザがサーバ装置のＵＲＬを入力すると、ユーザＩＤ登録アクセス部２６ａはサーバ装置８にアクセスする。続いてユーザ登録するための画面を液晶表示部２５に表示する。ユーザが画面で指示された自らの詳細情報を入力する（ステップ（以下「Ｓ」という）０１）。この詳細情報はインターネットを介してサーバ装置８に送られる。サーバ装置８の登録制御部３７は通信部３８を介して詳細情報を受け取り、この詳細情報対応にユーザＩＤを付与し、間違い入力回数リセット部１４により商品ＩＤエラー入力回数計数部１６の回数を０にリセットし、付与されたユーザＩＤに対する、待ち時間格納領域４１ａ（記憶部１９）の待ち時間を０にする。すなわち、付与されたユーザＩＤ対応の商品ＩＤ入力可能時刻を今にする（Ｓ０２）。
【００２１】
ついで、登録制御部３７はユーザＩＤを詳細情報とともにユーザ登録格納領域４１ｂ内に登録する（Ｓ０３）。登録制御部３７はユーザ登録を終了すると、付与したユーザＩＤおよびユーザ登録完了の旨の情報を通信部３８，インターネット経由でユーザ登録をアクセスしてきた携帯電話機８に送信する。携帯電話機８の液晶表示部２５に登録済およびユーザＩＤが表示される。ユーザＩＤ登録アクセス部２６ａはつぎにユーザＩＤに対しパスワードを設定するための画面を表示し、ユーザはパスワードを設定することとなる。パスワードはサーバ装置８のユーザ登録格納領域４１ｂに付与されたユーザＩＤに関連付けされて記憶される。このような流れによってユーザ登録が完了する（Ｓ０４）。
【００２２】
つぎに図７のフローチャートにより商品ＩＤ登録の流れを説明する。
携帯電話機８の入力部２２によりユーザが購入した商品のＩＤを入力するため所定の操作をする。ユーザＩＤ入力と商品ＩＤ入力ための画面が液晶表示部２５に表示される。まず、ユーザＩＤ入力のための画面が表示されるので、付与されたユーザＩＤを入力し、パスワードを入力する。さらに商品ＩＤを入力するため画面が表示されるので、続いて購入した商品のＩＤを入力する（Ｓ１１，Ｓ１２）。これら情報は通信部２３，インターネット，通信部３８を介してサーバ装置８に送られる。サーバ装置８の登録制御部３７は登録されたユーザＩＤが入力されパスワードも間違いない場合、時間判定部１１に制御を渡す。時間判定部１１は商品ＩＤが入力されてから、このユーザＩＤ対応の待ち時間格納領域４１ａ（記憶部１９）の待ち時間が経過したか否かを判定する（Ｓ１３）。当初はユーザ登録の際に待ち時間が０になっているため、また、前回の商品ＩＤ判定で間違いがない場合、同様に待ち時間が０にリセットされているので、待つことなく商品ＩＤ判定部１２による判定に移行する。また、待ち時間が例えば２秒になっている場合には、２秒後に商品ＩＤ判定部１２による商品ＩＤの判定に移行する。
【００２３】
待ち時間の間は、登録制御部３７は「只今サーバが混み合っています」などの情報を携帯電話機８に返送し、液晶表示部２５にその文言が表示される（Ｓ１４）。
待ち時間が経過した場合、または待つことなく商品ＩＤ判定部１２は、入力された商品ＩＤをチェックし、正しいか否かを判定する（Ｓ１５）。チェックの結果、正しくない場合、商品ＩＤエラー入力回数計数部１６は現在の計数値に１を加算する（Ｓ１６）。待ち時間演算部１７は加算された計数値ｍにより２m を演算し、待ち時間を算出する。待ち時間演算部１７は付与されたユーザＩＤ対応の待ち時間格納領域４１ａの時間を、算出された待ち時間になるように更新する（Ｓ１７）。入力不正であれば、次の商品ＩＤ入力で判定するまでの待ち時間が２m で計算される長さに増加する。携帯電話機８に「商品ＩＤが間違っています」という情報が送られ，液晶表示部２５にその文言が表示される（Ｓ１８）。
【００２４】
一方、商品ＩＤ判定部１２が正しい商品ＩＤであると判定した場合、未使用商品ＩＤ判定部３３は商品ＩＤ格納領域４１ｃに既に登録されている商品ＩＤの１つと一致するか否かを判定し（Ｓ１９）、一致する場合には携帯電話機８に対し「既に使用されています」という情報が送られ、液晶表示部２５にその文言が表示される（Ｓ２０）。未使用商品ＩＤの場合は、間違い入力回数リセット部１４は商品ＩＤエラー入力回数計数部１６の計数値を０にリセットし、待ち時間格納領域４１ａの、このユーザＩＤ対応の待ち時間を０にする（Ｓ２１）。このリセットにより次の商品ＩＤ入力の待ち時間はなく、待つことなく商品ＩＤ入力が判定されることになる。
そして未使用商品ＩＤである場合、ＩＤ登録部１５は商品ＩＤ格納領域４１ｃに入力された商品ＩＤを記憶する（Ｓ２２）。その旨の内容が携帯電話機８に送られ商品ＩＤ登録済が液晶表示部２５に表示され、商品ＩＤ登録が完了する（Ｓ２３）。
【００２５】
以上の実施の形態は端末として携帯電話機を使用した場合を説明したが、インターネット接続されるパソコンや他の携帯端末を用いて商品ＩＤ登録を行うこともできる。パソコンの場合や他の携帯端末も、ユーザ登録アクセス処理，商品ＩＤ登録アクセス処理の動作は携帯電話機の場合と同じである。パソコンを利用する場合、プログラムにより商品ＩＤを大量に作成し短時間に入力することが可能であっても、１回商品ＩＤ入力不正を行う毎に、つぎから商品ＩＤ入力を判定する時間が大きくなるため、正しい商品ＩＤの入力は多大な時間を要するため、事実上商品ＩＤを知らない者の正しい商品ＩＤの入力は不能となる。
また、ユーザ登録をしたものが正当な商品ＩＤの入力を間違えたとしても、間違え回数が少ない場合、商品ＩＤを判定するまでの待ち時間は増加するものの、極端に大きくならないので、従来のような解除という手続きを取らなくても一定時間待てば、入力できるとともに次からの入力はエラー回数を自動解除できる。さらに、入力間違いしたときは、ユーザを待たしていることが分からないような不正対策の表示で待ち時間を経過させることができる方式であるため、ユーザに不要なストレスを与えることもない。
【産業上の利用可能性】
【００２６】
ユーザが商品を購入した場合、その商品に付与されているシリアルナンバなどの商品ＩＤを登録する場合に不正入力を防止するシステムとして用いられる。
【図面の簡単な説明】
【００２７】
【図１】本発明による不正入力防止システムを備えた商品ＩＤ登録システムの概要を示すブロック図である。
【図２】不正入力防止システムの構成を示すブロック図である。
【図３】携帯電話機の回路の詳細を示すブロック図である。
【図４】サーバ装置の詳細を示すブロック図である。
【図５】商品を買ったユーザの登録の流れを示すフローチャートである。
【図６】商品ＩＤ登録の流れを示すフローチャートである。
【図７】商品ＩＤ入力の間違いによる待ち時間の増加を説明するための図である。
【図８】個別の商品に付するＩＤ（シリアルナンバー）の範囲の設定の方法を説明するための図である。
【符号の説明】
【００２８】
１  携帯電話機
２  基地局
３  移動通信交換機
４  公衆網
５  インターネット
６  パソコン
７  プロバイダ回線
１０  ＩＤ入力部
１１，３１  時間判定部
１２，３２  商品ＩＤ判定部  
１３，３３  未使用商品ＩＤ判定部  
１４  間違い入力回数リセット部  
１５  ＩＤ登録部
１６  商品ＩＤエラー入力回数計数部
１７  待ち時間演算部
１８  待ち時間更新部
２１  メモリ部
２２  キー入力部
２３，３８  通信部
２４  画像処理部
２５  液晶表示部
２６  制御部
２７  電話機能部
３５  更新登録部
３６  演算部  
３７  登録制御部
３９  ＲＯＭ
４０  ＲＡＭ
４１  データベース
【図１】
0005078492.tif 000002
【図２】
0005078492.tif 000003
【図３】
0005078492.tif 000004
【図４】
0005078492.tif 000005
【図５】
0005078492.tif 000006
【図６】
0005078492.tif 000007
【図７】
0005078492.tif 000008
【図８】
0005078492.tif 000009